(57)【要約】  ＲＲＭ測定を適切に行うこと。本発明の一態様に係るユーザ端末は、参照信号の送信に用いられる複数の空間リソースに共通するパラメータを示す共通情報を受信する受信部と、前記共通情報に基づいて、前記複数の空間リソースのいずれかを用いて送信される参照信号の測定を制御する制御部と、を有することを特徴とする。
2018198342.tif 000002
【特許請求の範囲】
【請求項１】
参照信号の送信に用いられる複数の空間リソースに共通するパラメータを示す共通情報を受信する受信部と、
前記共通情報に基づいて、前記複数の空間リソースのいずれかを用いて送信される参照信号の測定を制御する制御部と、を有することを特徴とするユーザ端末。
【請求項２】
前記受信部は、前記複数の空間リソースに関連付けられた同期用空間リソースを用いて送信される同期信号を受信し、
前記共通情報は、前記同期用空間リソースを用いて送信され、
前記制御部は、前記共通情報に基づいて、前記同期用空間リソースに関連付けられた空間リソースを用いて送信される参照信号の測定を制御することを特徴とする請求項１に記載のユーザ端末。
【請求項３】
前記共通情報は、複数の同期用空間リソースと前記複数の空間リソースとの関連付けを示し、前記複数の同期用空間リソースのそれぞれを用いて送信されることを特徴とする請求項２に記載のユーザ端末。
【請求項４】
前記共通情報は、複数の同期用空間リソースをそれぞれ用いて送信される複数の共通情報の一つであり、
前記複数の共通情報のそれぞれは、対応する同期用空間リソースに関連付けられた複数の空間リソースに共通するパラメータを示すことを特徴とする請求項２に記載のユーザ端末。
【請求項５】
前記共通情報は、周辺セルの参照信号の送信に用いられる複数の空間リソースに共通するパラメータを示すことを特徴とする請求項１から請求項４のいずれかに記載のユーザ端末。
【請求項６】
ユーザ端末の無線通信方法であって、
参照信号のための複数の空間リソースに共通するパラメータを示す共通情報を受信する工程と、
前記共通情報に基づいて、前記複数の空間リソースのいずれかを用いて送信される参照信号の測定を制御する工程と、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
ＬＴＥ  Ｒｅｌ．１０／１１では、広帯域化を図るために、複数のコンポーネントキャリア（ＣＣ：Component  Carrier）を統合するキャリアアグリゲーション（ＣＡ：Carrier  Aggregation）が導入されている。各ＣＣは、ＬＴＥ  Ｒｅｌ．８のシステム帯域を一単位として構成される。また、ＣＡでは、同一の基地局（例えば、ｅＮＢ（evolved  Node  B）、ＢＳ（Base  Station）などと呼ばれる）の複数のＣＣがユーザ端末（ＵＥ：User  Equipment）に設定される。【０００４】
一方、ＬＴＥ  Ｒｅｌ．１２では、異なる無線基地局の複数のセルグループ（ＣＧ：Cell  Group）がＵＥに設定されるデュアルコネクティビティ（ＤＣ：Dual  Connectivity）も導入されている。各セルグループは、少なくとも一つのセル（ＣＣ）で構成される。ＤＣでは、異なる無線基地局の複数のＣＣが統合されるため、ＤＣは、基地局間ＣＡ（Inter-eNB  CA）などとも呼ばれる。【０００５】
また、ＬＴＥ  Ｒｅｌ．８−１２では、下り（ＤＬ：Downlink）伝送と上り（ＵＬ：Uplink）伝送とを異なる周波数帯で行う周波数分割複信（ＦＤＤ：Frequency  Division  Duplex）と、下り伝送と上り伝送とを同じ周波数帯で時間的に切り替えて行う時分割複信（ＴＤＤ：Time  Division  Duplex）とが導入されている。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、５Ｇ、ＮＲ）は、様々な無線通信サービスを、それぞれ異なる要求条件（例えば、超高速、大容量、超低遅延など）を満たすように実現することが期待されている。【０００８】
例えば、５Ｇ／ＮＲでは、ｅＭＢＢ（enhanced  Mobile  Broad  Band）、ｍＭＴＣ（massive  Machine  Type  Communication）、ＵＲＬＬＣ（Ultra  Reliable  and  Low  Latency  Communications）などと呼ばれる無線通信サービスの提供が検討されている。【０００９】
ところで、ＮＲでは、モビリティ制御のために、ＲＲＭ（Radio  Resource  Management）測定を利用することが検討されている。しかしながら、どのようにＲＲＭ測定を設定するかがまだ決まっていない。ＲＲＭ測定が適切に行われない場合、通信スループットが劣化するおそれがある。【００１０】
本発明はかかる点に鑑みてなされたものであり、ＲＲＭ測定を適切に設定できるユーザ端末及び無線通信方法を提供することを目的の１つとする。
【課題を解決するための手段】
【００１１】
本発明の一態様に係るユーザ端末は、参照信号の送信に用いられる複数の空間リソースに共通するパラメータを示す共通情報を受信する受信部と、前記共通情報に基づいて、前記複数の空間リソースのいずれかを用いて送信される参照信号の測定を制御する制御部と、を有することを特徴とする。
【発明の効果】
【００１２】
本発明によれば、ＲＲＭ測定を適切に設定できる。
【図面の簡単な説明】
【００１３】
【図１】共通リソースセットの一例を示す図である。
【図２】ＣＳＩ−ＲＳリソース構成の一例を示す図である。
【図３】図３Ａ−図３Ｃは、サービングセルのＲＲＭ測定の一例を示す図である。
【図４】図４Ａ−図４Ｃは、オプションＡ−１ａの一例を示す図である。
【図５】図５Ａ−図５Ｃは、周辺セルのＲＲＭ測定の一例を示す図である。
【図６】オプションＡ−４のＳＩＢの内容の別の一例を示す図である。
【図７】オプションＣ−２のシナリオの一例を示す図である。
【図８】本発明の一実施形態に係る無線通信システムの概略構成の一例を示す図である。
【図９】本発明の一実施形態に係る無線基地局の全体構成の一例を示す図である。
【図１０】本発明の一実施形態に係る無線基地局の機能構成の一例を示す図である。
【図１１】本発明の一実施形態に係るユーザ端末の全体構成の一例を示す図である。
【図１２】本発明の一実施形態に係るユーザ端末の機能構成の一例を示す図である。
【図１３】本発明の一実施形態に係る無線基地局及びユーザ端末のハードウェア構成の一例を示す図である。
【発明を実施するための形態】
【００１４】
ＬＴＥにおけるモビリティ制御の一例についてまず説明する。ＬＴＥ  Ｒｅｌ．１１で、協調マルチポイント送受信（ＣｏＭＰ：Coordinated  Multi-Point  transmission/reception）技術が仕様化され、ＵＥが複数の送受信ポイント（ＴＲＰ：Transmission  Reception  Point）に関してチャネル状態情報参照信号（ＣＳＩ−ＲＳ：Channel  State  Information-Reference  Signal）に基づく測定及び報告を行って、動的に通信するＴＲＰを切り替える動的ポイント選択（ＤＰＳ：Dynamic  Point  Selection）が可能となっている。
【００１５】
なお、ＴＲＰは、例えば基地局であり、単に送信ポイント（ＴＰ：Transmission  Point）、受信ポイント（ＲＰ：Reception  Point）などと呼ばれてもよい。
【００１６】
ＤＰＳの手順の一例において、まず、ＵＥは、同期信号（ＰＳＳ（Primary  Synchronization  Signal）／ＳＳＳ（Secondary  Synchronization  Signal））及びセル固有参照信号（ＣＲＳ：Cell-specific  Reference  Signal）に基づいてセルを検出し、ＲＲＭ（Radio  Resource  Management）測定報告を行う。
【００１７】
ＲＲＭ測定報告では、ＵＥは、例えば受信電力（例えば、ＲＳＲＰ（Reference  Signal  Received  Power））を測定し、当該受信電力に関する情報を報告してもよい。なお、本明細書では、「測定報告」は、「測定及び／又は報告」と互換的に使用されてもよい。
【００１８】
ＵＥは、接続セルから、各ＴＲＰをそれぞれＣＳＩ測定するための複数のＣＳＩプロセス（最大４つ）を設定される。ＵＥは、ＣＳＩプロセスの設定に基づいて各ＴＲＰから送信されるＣＳＩ−ＲＳを測定報告し、ネットワークは当該報告結果に基づいて、ＵＥとの送受信に用いるＴＲＰを動的に切り替える（ＤＰＳ）。
【００１９】
ＣＳＩ測定報告では、ＵＥは、チャネル品質指標（ＣＱＩ：Channel  Quality  Indicator）、プリコーディング行列指標（ＰＭＩ：Precoding  Matrix  Indicator）、プリコーディングタイプ指標（ＰＴＩ：Precoding  Type  Indicator）、ランク指標（ＲＩ：Rank  Indicator）などの少なくとも１つに関するＣＳＩを報告してもよい。
【００２０】
ネットワークは、ＵＥから報告される測定結果に基づいて、ＵＥにおいて信号の受信品質が最も高いＴＲＰを判断し、当該ＴＲＰをＵＥとの送受信に用いてもよい。
【００２１】
このように、複数のＣＳＩプロセスを用いることにより、同じセル内でＵＥが移動してもセルを切り替えたりＲＲＣ（Radio  Resource  Control）情報の再設定を行ったりすることなく、ＵＥの通信先のＴＲＰを切り替えながらネットワークとの通信を継続できる。上位レイヤにより認識されない移動時の通信の管理（維持）は、レイヤ１／レイヤ２モビリティ（Ｌ１／Ｌ２（Layer  1/Layer  2）  mobility）とも呼ばれる。
【００２２】
なお、セルをまたぐ移動（例えば、セルをまたぐハンドオーバー）が生じる場合、Ｌ１／Ｌ２モビリティは維持できず、接続セルの切り替え及びＲＲＣ情報の再設定が必要である。上位レイヤにより認識される移動時の通信の管理（維持）は、レイヤ３モビリティ（Ｌ３  mobility）とも呼ばれる。
【００２３】
ＮＲ  ＤＬにおいては、モビリティ測定として、アイドル（IDLE）モード及び接続（CONNECTED）モードの両方において、常時ＯＮであるアイドルＲＳを用いるアイドルＲＳベースＲＲＭ測定（IDLE  RS  based  RRM  measurement）をサポートすることが検討されている。
【００２４】
このアイドルＲＳは例えば、ＮＲ−ＳＳＳであってもよいし、ＮＲ−ＳＳＳとＰＢＣＨ（Physical  Broadcast  Channel）用のＤＭＲＳ（Demodulation  Reference  Signal）とであってもよい。
【００２５】
また、モビリティ測定として、接続モードだけにおいて、ＣＳＩ−ＲＳを用いるＣＳＩ−ＲＳベースＲＲＭ測定（CSI-RS  based  RRM  measurement）をサポートすることが検討されている。ＣＳＩ−ＲＳの代わりに、ＭＲＳ（Mobility  Reference  Signal）、ＤＭＲＳ等、他の参照信号が用いられてもよい。
【００２６】
ＣＳＩ−ＲＳベースＲＲＭ測定において、周辺セルの存在とセルＩＤの検出は、ＮＲ−ＳＳ（Synchronization  Signal）に基づく。接続モードのＵＥ（User  Equipment）に対し、ＮＷ（ネットワーク、例えば無線基地局）からの上位レイヤシグナリングが、アイドルＲＳベースＲＲＭ測定、及び／又はＣＳＩ−ＲＳベースＲＲＭ測定を設定する。
【００２７】
ＣＳＩ−ＲＳベースＲＲＭ測定のユースケースとして、例えば次のことが検討されている。
・ＣＳＩ−ＲＳを用いて、セル端のＵＥの測定精度を改善する。
・ＣｏＭＰシナリオ４と同様にして、ＵＥが、ＰＳＳ／ＳＳＳが共通であるビーム及び／又はＴＲＰ（Transmission  Reception  Point）を、ＣＳＩ−ＲＳを用いて識別する。
・ＮＲ−ＳＳのビーム幅が非常に広く、そのビームの粒度が後のＬ１／Ｌ２モビリティ用のビームレベルＲＳＲＰ（Reference  Signal  Received  Power）測定に十分でない場合、ＣＳＩ−ＲＳを用いる。
・ハイモビリティのＵＥには広いビームのＮＲ−ＳＳを用い、ローモビリティのＵＥにはより狭いビームのＣＳＩ−ＲＳを用いる。
・ＣＳＩ−ＲＳを用いて、初期アクセスを用いないキャリア（例えば、ノンスタンドアローンのキャリア）の測定を行う。
【００２８】
ＬＴＥにおいて、ＣＳＩ−ＲＳを用いるＲＳＲＰ測定は、Ｒｅｌ．１２からサポートされている。このＲＳＲＰ測定は、各ＣＳＩ−ＲＳリソース（最大で９６個のＣＳＩ−ＲＳリソース）に対して明示的な構成情報を必要とする。例えば、各ＣＳＩ−ＲＳリソースに対し、周期及び時間オフセット（ＤＭＴＣ：Discovery  Measurement  Timing  Configuration）に加えて、セルＩＤ（ＰＣＩＤ：Physical  Cell  Identifier）と、スクランブリングＩＤと、ＣＳＩ−ＲＳのリソースを示すＣＳＩ−ＲＳ構成インデックスと、サブフレームオフセットと、ＣＳＩ−ＲＳ個別オフセットとが、指示されることが必要である。もしＣＳＩ−ＲＳベースＲＲＭ測定にＬＴＥのような明示的な構成のシグナリングが適用されると、構成情報は非常に大きくなる。
【００２９】
ＮＲでは、ＣＳＩ−ＲＳ構成が多数のビームの測定をサポートすること、設定のオーバーヘッドと、測定結果の報告のオーバーヘッドと、ＵＥの負荷とを削減することが検討されている。また、ＣＳＩ−ＲＳ構成のために、少なくとも個別ＲＲＣシグナリングがサポートされる。
【００３０】
もし、個別ＲＲＣシグナリングだけがサポートされる場合、サービングセル及び周辺セルの全ての測定対象ＣＳＩ−ＲＳ構成を、ＵＥ個別にシグナリングするため、ＣＳＩ−ＲＳ構成のシグナリングのオーバーヘッドが大きくなる。
【００３１】
そこで、本発明者らは、設定及び／又は報告のオーバーヘッドを抑えつつ、ＣＳＩ−ＲＳベースＲＲＭ測定を実現する方法を検討した。
【００３２】
具体的には、ＮＲが、ＣＳＩ−ＲＳベースＲＲＭ測定用の複数のＣＳＩ−ＲＳに共通の構成を示す共通リソース構成情報をサポートする。共通リソース構成情報は、ＲＲＭ測定に使用可能なリソースのセットである共通リソースセット（例えば、時間／周波数リソースプール）の情報と、共通リソースセットの周期と、共通リソースセットの時間オフセットと、想定するアンテナポートとの、少なくとも１つのパラメータを含む。時間／周波数リソースプールは、ＣＳＩ−ＲＳ用の複数の時間リソース及び周波数リソースを示す。時間／周波数リソースプールは、時間リソース及び周波数リソースのパターンと呼ばれてもよい。アンテナポートは、符号分割多重（ＣＤＭ：Code  Division  Multiplex）のための直交符号に関連付けられていてもよい。
【００３３】
共通リソースセットは、所定の時間長及び所定の帯域幅を単位として、ＣＳＩ−ＲＳのリソースを示すＣＳＩ−ＲＳリソース構成を含んでもよい。例えば、図１に示すように、共通リソースセットが、１スロット及び１ＰＲＢの単位のＣＳＩ−ＲＳリソース構成を、複数のスロット及び／又は複数のＰＲＢにわたって繰り返す構成を有していてもよい。この場合、共通リソースセットの情報は、ＣＳＩ−ＲＳリソース構成を繰り返すスロット数、及び／又はＣＳＩ−ＲＳリソース構成を繰り返すＰＲＢ数を示していてもよい。このように、ＣＳＩ−ＲＳリソース構成の繰り返しを用いることにより、設定のオーバーヘッドを抑えつつ、測定精度を向上できる。
【００３４】
更に、共通リソースセットは、周期と時間オフセットに従って配置される。周期及び時間オフセットが、共通リソースセット内のＣＳＩ−ＲＳに対して共通に設定されることにより、ＣＳＩ−ＲＳ毎に設定する方法に比べて、設定のオーバーヘッドを削減することができる。
【００３５】
ＣＳＩ−ＲＳリソース構成は、所定の時間長及び所定の帯域幅の単位におけるＣＳＩ−ＲＳのリソースを示す。例えば、図２に示すように、ＣＳＩ−ＲＳリソース構成は、１スロット及び１ＰＲＢの単位における複数のＣＳＩ−ＲＳのリソースを示す。各ＣＳＩ−ＲＳのリソースは、時間／周波数リソースの情報と、アンテナポートの情報とを、含んでもよい。
【００３６】
この例において、ＣＳＩ−ＲＳリソース構成は、３６個の時間／周波数リソースの情報と、２個のアンテナポートとを含む。この例において、各ＣＳＩ−ＲＳの時間／周波数リソースは、２シンボル及び１サブキャリアで構成される。各時間／周波数リソースにおいて、２個のアンテナポートを用いてそれぞれ送信される２つのＣＳＩ−ＲＳは、２シンボル（系列長２）にわたる直交符号（例えばＯＣＣ（Orthogonal  Cover  Code））を用いて符号分割多重される。
【００３７】
ＣＳＩ−ＲＳリソース構成は、各ＣＳＩ−ＲＳの時間／周波数リソースの時間領域の位置と周波数領域の位置とを含んでもよい。時間領域の位置及び周波数領域の位置は、シンボルインデックス及びサブキャリアインデックスでそれぞれ表されてもよい。ＣＳＩ−ＲＳリソース構成は、各ＣＳＩ−ＲＳの時間／周波数リソースを識別するためのＣＳＩ−ＲＳ構成インデックス（＃０−＃３５）を含んでもよい。
【００３８】
ＣＳＩ−ＲＳリソース構成は、各ＣＳＩ−ＲＳのアンテナポートを識別するためのアンテナポートインデックス（Ｘ、Ｘ＋１）を含んでもよい。
【００３９】
共通リソース構成情報の他に、各ビームに対するリソース構成情報がＵＥに設定されてもよい。例えば、リソース構成情報は、共通リソースセット内のリソースのインデックスの組み合わせとその識別子（ＣＳＩ−ＲＳ−ＩＤ）とを示す情報、スクランブリングＩＤ、アンテナポートインデックスと、の少なくとも一つを含んでもよい。
【００４０】
共通リソース構成情報は、周波数帯域（例えばキャリア）単位で共通であってもよいし、セル単位で共通であってもよいし、ビーム／ＴＲＰグループ単位で共通であってもよい。ビーム／ＴＲＰグループは、セルの中の一部のビーム及び／又はＴＲＰのグループであってもよいし、セルをまたがる複数のビーム及び／又はＴＲＰのグループであってもよい。
【００４１】
ＵＥは、検出されたＣＳＩ−ＲＳリソースの上位Ｎ個の測定結果（例えば、ＲＳＲＰ）と、それらのＣＳＩ−ＲＳリソースに関連付けられた情報（例えば、ＣＳＩ−ＲＳリソース構成のインデックス、セルＩＤ（スクランブリングＩＤ）、アンテナポートインデックスの少なくとも一つ）と、を報告する。
【００４２】
このように、ＣＳＩ−ＲＳベースＲＲＭ測定に必要な情報の一部を、複数のＵＥにわたって共通化することにより、設定のための情報量を少なくすることができる。
【００４３】
しかしながら、共通リソース構成情報のシグナリング（共通シグナリング、例えば、ＳＩＢ（System  Information  Block））の詳細は決まっていない。また、サービングセル及び周辺セルのための共通シグナリングは決まっていない。
【００４４】
そこで、本発明者らは、ＮＷ（ネットワーク、例えば、無線基地局）が、ＣＳＩ−ＲＳの送信に用いられる複数のＣＳＩ−ＲＳビームに共通する共通リソース構成情報を示すＳＩＢを送信し、ＵＥが、ＳＩＢに基づいて、複数のＣＳＩ−ＲＳビームのいずれかを用いて送信されるＣＳＩ−ＲＳの測定を制御することを着想した。
【００４５】
複数のＣＳＩ−ＲＳビームが切り替えられ（スイープされ）てもよい。複数のＣＳＩ−ＲＳビームは、複数のＣＳＩ−ＲＳ構成にそれぞれ関連付けられる。各ＣＳＩ−ＲＳ構成のＣＳＩ−ＲＳは、対応するＣＳＩ−ＲＳビームを用いて送信される。
【００４６】
具体的には、共通リソース構成情報を通知する共通シグナリングを定義する。サービングセル及び周辺セルについて次のオプションが考えられる。
【００４７】
オプションＡ：サービングセル及び周辺セルに対し、別の共通シグナリング（例えば、異なるＳＩＢ）が、ＣＳＩ−ＲＳ構成を伝えるために用いられる。
【００４８】
オプションＢ：サービングセル及び周辺セルに対し、一つの共通シグナリング（例えば、或るＳＩＢ）が、ＣＳＩ−ＲＳ構成を伝えるために用いられる。
【００４９】
オプションＣ：サービングセルに対し、一つの共通シグナリング（例えば、或るＳＩＢ）が、ＣＳＩ−ＲＳ構成を伝えるために用いられる。周辺セルに対するＣＳＩ−ＲＳ構成は、ＵＥ個別ＲＲＣシグナリングを用いて通知される。
【００５０】
ＳＩＢの代わりに、他のブロードキャスト情報等、ＵＥ共通の上位レイヤシグナリングが用いられてもよい。ＲＲＣシグナリングの代わりに、他のＵＥ個別の上位レイヤシグナリングが用いられてもよい。
【００５１】
また、マルチビームシナリオにおける共通シグナリングについて次のオプションが考えられる。
【００５２】
オプション１：ＵＥ共通シグナリング：例えば、ビームスイーピング中の異なる送信ビーム上のＳＩＢの内容は、共通である。ＳＩＢは、ＣＳＩ−ＲＳ構成と、各ＣＳＩ−ＲＳ構成及びＳＳブロック（インデックス）の間の関連付けと、を伝える。なお、オプション１は、後述のオプションＡ−１、Ａ−１ａ、Ａ−３、Ａ−３ａに対応する。
【００５３】
ＳＳブロックは、ＮＲ−ＰＳＳ、ＮＲ−ＳＳＳ及びＰＢＣＨの少なくとも１つを含むリソース（又はリソースセット）である。例えば、ＵＥは、同じＳＳブロックインデックス（当該ＳＳブロックに対応する時間インデックス）に対応するＳＳブロックで受信するＮＲ−ＰＳＳ、ＮＲ−ＳＳＳ及びＰＢＣＨが、同一の送信ビームで送信されたと想定してもよい。ＵＥは、ＳＳブロック内の信号からＳＳブロックインデックスを検出できる。
【００５４】
ＳＳブロックは、対応する送信ビームを用いて送信される。ＳＩＢは、複数の送信ビームのそれぞれを用いて送信される。送信ビームの幅は、ＣＳＩ−ＲＳビームの幅より広くてもよい。例えば、送信ビームにカバーされるエリアが、複数のＣＳＩ−ＲＳビームにカバーされるエリアと重複してもよい。送信ビームは、同期用空間リソースと呼ばれてもよい。
【００５５】
オプション２：ＵＥグループ共通（ビーム固有）シグナリング：例えば、ビームスイーピング中の異なる送信ビーム上のＳＩＢの内容は、異なる。ＳＩＢは、当該ＳＩＢ送信に用いられる送信ビームに関連付けられたＣＳＩ−ＲＳ構成を伝える。なお、オプション２は、後述のオプションＡ−２、Ａ−４に対応する。
【００５６】
このように、ＣＳＩ−ＲＳの送信に用いられる複数のＣＳＩ−ＲＳビームに共通する共通リソース構成情報を示すＳＩＢが送信されることにより、ＣＳＩ−ＲＳ構成のシグナリングのオーバーヘッドが抑えられる。また、ＵＥが、ＳＩＢに基づいて、複数のＣＳＩ−ＲＳビームのいずれかを用いて送信されるＣＳＩ−ＲＳの測定を制御することにより、適切なＣＳＩ−ＲＳを測定することができ、ＵＥの負荷を抑えることができる。
【００５７】
なお、「ビーム」は、「リソース」、「空間リソース」、「アンテナポート」などで読み替えられてもよい。
【００５８】
以下、本発明に係る実施形態について、図面を参照して詳細に説明する。各実施形態に係る無線通信方法は、それぞれ単独で適用されてもよいし、組み合わせて適用されてもよい。
【００５９】
（無線通信方法）
＜第１の実施形態＞
本発明の第１の実施形態では、サービングセル及び周辺セルに対し、別の共通シグナリング（例えば、異なるＳＩＢ）が、ＣＳＩ−ＲＳ構成を伝えるために用いられる（オプションＡ）。
【００６０】
《サービングセルのＣＳＩ−ＲＳ構成のための共通シグナリング》
サービングセルのＣＳＩ−ＲＳ構成のための共通シグナリング（例えば、ＳＩＢ）について、次のオプションＡ−１、Ａ−１ａ、Ａ−２が考えられる。
【００６１】
オプションＡ−１：異なる送信ビーム上の各ＳＩＢが、サービングセルのための全てのＣＳＩ−ＲＳ構成と、各ＣＳＩ−ＲＳ構成及びＳＳブロック（インデックス）の間の関連付けと、を伝える。すなわち、サービングセル内の全ての送信ビームを用いて送信されるＳＩＢの内容は、共通である。ＵＥは、一つのＳＩＢを読むことにより、サービングセルのための全てのＣＳＩ−ＲＳ構成を取得できる。また、ＵＥは、検出されたＳＳブロックインデックスに関連付けられたＣＳＩ−ＲＳを選択し、選択したＣＳＩ−ＲＳを測定する。
【００６２】
オプションＡ−１によれば、ＵＥは、一つのＳＩＢから受信可能性のあるＣＳＩ−ＲＳ構成を選択できる。よって、ＣＳＩ−ＲＳ構成をＵＥ個別に通知することを避け、ＣＳＩ−ＲＳ構成の通知のオーバーヘッドを削減できる。
【００６３】
オプションＡ−１ａ：異なる送信ビーム上の各ＳＩＢが、サービングセルのための複数のＣＳＩ−ＲＳ構成と、各ＣＳＩ−ＲＳ構成及びＳＳブロック（インデックス）の間の関連付けと、を伝える。ここでの複数のＣＳＩ−ＲＳ構成は、或る単位（例えばＳＳバースト）に関連付けられる。ＵＥは、一つのＳＩＢを読むことにより、サービングセルのＳＳバーストのための、対応するＣＳＩ−ＲＳ構成を取得できる。また、ＵＥは、ＳＳバースト内で検出されたＳＳブロックインデックスに関連付けられたＣＳＩ−ＲＳを選択し、選択したＣＳＩ−ＲＳを測定する。
【００６４】
オプションＡ−１ａによれば、送信ビームのグループ（ＳＳバースト）に関連付けられたＣＳＩ−ＲＳ構成を送信することにより、オプションＡ−１に比べて、ＳＩＢの情報量を削減できる。
【００６５】
ＳＳバーストは、複数のＳＳブロックを含む単位時間リソースであり、スロットであってもよいし、サブフレームであってもよい。一つのＳＳブロックは一つの送信ビームに関連付けられ、一つのＳＳバーストは複数の送信ビームのセットに関連付けられる。よって、各セット内のＳＩＢの内容は共通である。ＵＥは、あるセット内の位置から別のセット内の位置へ移動する場合、ＳＩＢを読み直す。
【００６６】
オプションＡ−２：異なる送信ビーム上の各ＳＩＢが、サービングセルのための、対応するＣＳＩ−ＲＳ構成を伝える。すなわち、ＳＩＢの内容は、対応する送信ビーム毎に異なる。ＵＥは、一つのＳＩＢを読むことにより、サービングセルのための、対応するＣＳＩ−ＲＳ構成を取得できる。また、ＵＥは、複数のＳＩＢを読み、（ＳＳブロック及び／又はＳＩＢのための異なる送信ビームに関連付けられた、）より多くのＣＳＩ−ＲＳ構成を取得してもよい。
【００６７】
オプションＡ−２によれば、送信ビームに関連付けられたＣＳＩ−ＲＳビームのＣＳＩ−ＲＳ構成を送信することにより、オプションＡ−１及びＡ−１ａに比べて、ＳＩＢの情報量を削減できる。
【００６８】
また、ＵＥは、設定されたイベント（例えば、Ａ２−Ａ６）又は（ＵＥ測定報告に基づく）個別シグナリングに基づいて、トリガされ複数のＳＩＢを読んでもよい。これにより、ＮＷは、ＳＩＢの内容をＵＥに設定するタイミングを制御できる。
【００６９】
次に、サービングセルのＲＲＭ測定の具体例について説明する。
【００７０】
図３Ａは、サービングセルのＣＳＩ−ＲＳ測定のシナリオの一例を示す図である。サービングセル内で、ＳＳブロック及びＳＩＢを送信するための広い送信ビーム（＃０、＃１、＃２、＃３）がスイープされる。この例における送信ビームの数は４である。ＣＳＩ−ＲＳを送信するための、送信ビームよりも狭いＣＳＩ−ＲＳビーム（＃０ａ、＃０ｂ、＃０ｃ、…、＃３ａ、＃３ｂ、＃３ｃ）がスイープされる。この例におけるＣＳＩ−ＲＳビームの数は１２である。各送信ビーム（例えば、＃０）は、３つのＣＳＩ−ＲＳビーム（例えば、＃０ａ、＃０ｂ、＃０ｃ）に関連付けられている。例えば、或るエリアで受信可能なＣＳＩ−ＲＳビームが、当該エリアで受信可能な送信ビームに関連付けられる。この例において、ＣＳＩ−ＲＳビーム＃０ａ、＃０ｂ、＃０ｃのいずれかを受信可能なエリアは、送信ビーム＃０を受信可能なエリアと重複する。
【００７１】
図３Ｂは、オプションＡ−１におけるＳＩＢの内容の一例を示す図である。オプションＡ−１では、全ての送信ビームで同一のＳＩＢが送信される。このＳＩＢは、各ＣＳＩ−ＲＳビームを用いるＣＳＩ−ＲＳ構成と、当該ＣＳＩ−ＲＳビームに関連付けられた送信ビームを用いるＳＳブロックのインデックスとを含む。
【００７２】
図３Ｃは、オプションＡ−２におけるＳＩＢの内容の一例を示す図である。オプションＡ−２では、異なる送信ビームで異なるＳＩＢが送信される。各ＳＩＢは、対応するＣＳＩ−ＲＳビームを用いるＣＳＩ−ＲＳ構成を含む。
【００７３】
オプションＡ−１ａでは、ＳＳバースト内の複数のＳＳブロックが複数の送信ビームでそれぞれ送信される。
【００７４】
図４Ａは、ＳＳバーストの一例を示す図である。この図におけるＳＳバーストは、１スロットである。すなわち、１スロットが複数のＳＳブロックを含む。
【００７５】
図４Ｂは、ＳＳバーストの別の一例を示す図である。この図におけるＳＳバーストは、複数のスロットを含む１サブフレームである。すなわち、１サブフレームが複数のＳＳブロックを含む。この図は、１サブフレームの先頭のスロットが、複数のＳＳブロックが含み、他のスロットがＳＳブロックを含まない例を示す。複数のＳＳブロックを含むスロットは、ビームスイープを行うため、データを送信することが難しい。ＳＳブロックを含まないスロットでデータを送信することにより、データの送信効率を高めることができる。なお、１サブフレーム内の複数のスロットにわたって複数のＳＳブロックが配置されてもよい。
【００７６】
図４Ｃは、オプションＡ−１ａにおけるＳＩＢの内容を示す図である。ここでは、ＳＳバーストＸが、送信ビーム＃０を用いるＳＳブロックと、送信ビーム＃１を用いるＳＳブロックと、を含む。ＳＳバーストＹが、送信ビーム＃２を用いるＳＳブロックと、送信ビーム＃３を用いるＳＳブロックと、を含む。ＳＳバーストＸに対応する送信ビーム＃０、＃１を用いるＳＩＢは、送信ビーム＃０、＃１に関連付けられた各ＣＳＩ−ＲＳビームを用いるＣＳＩ−ＲＳ構成と、当該ＣＳＩ−ＲＳビームに関連付けられた送信ビームを用いるＳＳブロックのインデックスとを含む。ＳＳバーストＹに対応する送信ビーム＃２、＃３を用いるＳＩＢは、送信ビーム＃２、＃３に関連付けられた各ＣＳＩ−ＲＳビームを用いるＣＳＩ−ＲＳ構成と、当該ＣＳＩ−ＲＳビームに関連付けられた送信ビームを用いるＳＳブロックのインデックスとを含む。
【００７７】
以上のサービングセルのＣＳＩ−ＲＳ構成のための共通シグナリングによれば、ＵＥは、複数のＣＳＩ−ＲＳビームに関連付けられた複数の送信ビームの一つを用いて送信されるＳＳブロックを受信し、共通リソース構成情報を含むＳＩＢが複数の送信ビームの少なくとも一つを用いて送信され、ＵＥが、受信されたＳＳブロックに対応する送信ビームに関連付けられたＣＳＩ−ＲＳビームを用いて送信されるＣＳＩ−ＲＳの測定を制御する。これにより、ＵＥは、共通リソース構成のうち、ＵＥの位置で受信可能なＣＳＩ−ＲＳを選択して測定することができる。
【００７８】
《周辺セルのＣＳＩ−ＲＳ構成のための共通シグナリング》
周辺セルのＣＳＩ−ＲＳ構成のための共通シグナリング（例えば、ＳＩＢ）について、次のオプションＡ−３、Ａ−３ａ、Ａ−４が考えられる。
【００７９】
オプションＡ−３：サービングセルの異なる送信ビーム上の各ＳＩＢが、周辺セルのための全てのＣＳＩ−ＲＳ構成と、各ＣＳＩ−ＲＳ構成及び周辺セルのＳＳブロック（インデックス）の間の関連付けと、を伝える。サービングセル内の全ての送信ビームを用いるＳＩＢの内容は、共通である。例えば、或るエリアで受信可能な周辺セルのＣＳＩ−ＲＳビームを用いるＣＳＩ−ＲＳ構成が、当該エリアで受信可能な周辺セルの送信ビームを用いるＳＳブロックに関連付けられる。
【００８０】
これにより、ＵＥは、周辺セルの全てのＣＳＩ−ＲＳ構成を受信でき、その中から受信可能性のあるＣＳＩ−ＲＳ構成を選択できる。よって、ＣＳＩ−ＲＳ構成をＵＥ個別に通知することを避け、ＣＳＩ−ＲＳ構成の通知のオーバーヘッドを削減できる。
【００８１】
周辺セルのＳＳブロックインデックスの代わりに、当該ＳＩＢに用いられた送信ビームに対応するサービングセルのＳＳブロックインデックスが用いられてもよい。例えば、或るエリアで受信可能な周辺セルのＣＳＩ−ＲＳビームを用いるＣＳＩ−ＲＳ構成が、当該エリアで受信可能なサービングセルの送信ビームを用いるＳＳブロックに関連付けられる。
【００８２】
また、周辺セルのＣＳＩ−ＲＳビームを用いるＣＳＩ−ＲＳ構成に、当該周辺セルのセルＩＤが関連付けられてもよい。
【００８３】
ＵＥは、一つのＳＩＢを読むことにより、周辺セルのための全てのＣＳＩ−ＲＳ構成を取得できる。また、ＵＥは、検出されたＳＳブロックインデックスに関連付けられたＣＳＩ−ＲＳを選択し、選択したＣＳＩ−ＲＳを測定する。オプションＡ−３によれば、ＵＥは、一つのＳＩＢから受信可能性のあるＣＳＩ−ＲＳ構成を選択できる。よって、ＣＳＩ−ＲＳ構成をＵＥ個別に通知することを避け、ＣＳＩ−ＲＳ構成の通知のオーバーヘッドを削減できる。
【００８４】
オプションＡ−３ａ：異なる送信ビーム上の各ＳＩＢが、周辺セルのための複数のＣＳＩ−ＲＳ構成と、各ＣＳＩ−ＲＳ構成及び周辺セルのＳＳブロック（インデックス）の間の関連付けと、を伝える。或る単位（例えばＳＳバースト）内の異なるＳＩＢの内容は共通である。周辺セルのＳＳブロックインデックスの代わりに、当該ＳＩＢに用いられた送信ビームに対応するサービングセルのＳＳブロックインデックスが用いられてもよい。また、周辺セルのＣＳＩ−ＲＳビームを用いるＣＳＩ−ＲＳ構成に、当該周辺セルのセルＩＤが関連付けられてもよい。
【００８５】
ＵＥは、一つのＳＩＢを読むことにより、周辺セルのＳＳバーストのための、対応するＣＳＩ−ＲＳ構成を取得できる。また、ＵＥは、ＳＳバースト内で検出されたＳＳブロックインデックスに関連付けられたＣＳＩ−ＲＳを選択し、選択したＣＳＩ−ＲＳを測定する。
【００８６】
オプションＡ−３ａによれば、送信ビームのグループ（ＳＳバースト）に関連付けられたＣＳＩ−ＲＳ構成を送信することにより、オプションＡ−３に比べて、一つのＳＩＢの情報量を削減できる。
【００８７】
オプションＡ−４：異なる送信ビーム上の各ＳＩＢが、周辺セルのための、対応するＣＳＩ−ＲＳ構成を伝える。周辺セルのＳＳブロックインデックスの代わりに、当該ＳＩＢに用いられた送信ビームに対応するサービングセルのＳＳブロックインデックスが用いられてもよい。また、周辺セルのＣＳＩ−ＲＳビームを用いるＣＳＩ−ＲＳ構成に、当該周辺セルのセルＩＤが関連付けられてもよい。
【００８８】
ＵＥは、一つのＳＩＢを読むことにより、周辺セルのための、対応するＣＳＩ−ＲＳ構成を取得できる。また、ＵＥは、複数のＳＩＢを読み、より多くのＣＳＩ−ＲＳ構成を取得してもよい。
【００８９】
オプションＡ−４によれば、送信ビームに関連付けられたＣＳＩ−ＲＳビームのＣＳＩ−ＲＳ構成を送信することにより、オプションＡ−３及びＡ−３ａに比べて、ＳＩＢの情報量を削減できる。
【００９０】
次に、周辺セルのＲＲＭ測定の具体例について説明する。
【００９１】
図５Ａは、周辺セルのＣＳＩ−ＲＳ測定のシナリオの一例を示す図である。図３Ａと同様、サービングセル内には、送信ビーム＃０、＃１、＃２、＃３が送信され、ＣＳＩ−ＲＳビーム＃０ａ、＃０ｂ、＃０ｃ、…、＃３ａ、＃３ｂ、＃３ｃが送信される。また、周辺セルとして、セルＸ、Ｙ、Ｚがある。セルＸは、送信ビームＸ０、Ｘ１、Ｘ２、…をスイープし、ＣＳＩ−ＲＳビームＸ０ａ、Ｘ０ｂ、Ｘ０ｃ、…をスイープする。セルＹは、送信ビームＹ０、Ｙ１、Ｙ２、…をスイープし、ＣＳＩ−ＲＳビームＹ０ａ、Ｙ０ｂ、Ｙ０ｃ、…をスイープする。セルＺは、送信ビームＺ０、Ｚ１、Ｚ２、…をスイープし、ＣＳＩ−ＲＳビームＺ０ａ、Ｚ０ｂ、Ｚ０ｃ、…をスイープする。
【００９２】
図５Ｂは、オプションＡ−３におけるＳＩＢの内容の一例を示す図である。オプションＡ−３では、全ての送信ビーム＃０−＃３で同一のＳＩＢが送信される。このＳＩＢは、周辺セルの各ＣＳＩ−ＲＳビームを用いるＣＳＩ−ＲＳ構成と、当該周辺セルのセルＩＤと、当該周辺セルにおいて当該ＣＳＩ−ＲＳビームに関連付けられた送信ビームを用いるＳＳブロックのインデックスとを含む。
【００９３】
図５Ｃは、オプションＡ−４におけるＳＩＢの内容の一例を示す図である。オプションＡ−４では、異なる送信ビームで異なるＳＩＢが送信される。各ＳＩＢは、周辺セルにおいて対応するＣＳＩ−ＲＳビームを用いるＣＳＩ−ＲＳ構成と、当該周辺セルのセルＩＤと、当該周辺セルにおいて当該ＣＳＩ−ＲＳビームに関連付けられた送信ビームを用いるＳＳブロックのインデックスとを含む。
【００９４】
オプションＡ−３ａでは、周辺セルのＣＳＩ−ＲＳ構成のために、サービングセルの一つのＳＳバーストに対応する送信ビームを用いるＳＩＢの内容は、共通である。例えば、ＳＳバースト内の２つのＳＳブロックが送信ビーム＃０、＃１をそれぞれ用いて送信される場合、周辺セルのＣＳＩ−ＲＳ構成のためのＳＩＢの内容は、送信ビーム＃０、＃１に共通である。周辺セルにおいて、送信ビーム及びＣＳＩ−ＲＳビームの数と、それらのビームのスイーピングパターンとが、サービングセルと異なっていても、送信ビーム＃０、＃１を用いて送信されるＳＩＢは、測定される周辺セルのＣＳＩ−ＲＳ構成と、それに関連付けられた周辺セルのセルＩＤ及びＳＳブロックインデックスと、を伝えることができる。
【００９５】
ＳＩＢにより伝えられる周辺セルのＣＳＩ−ＲＳ構成が、当該ＳＩＢのエリア内のＵＥに観測され得るように、周辺セルのＣＳＩ−ＲＳ構成がサービングセルのＳＩＢへマッピングされてもよい。このマッピング方法は、オプションＡ−３及びＡ−４にも適用できる。
【００９６】
オプションＡ−３、Ａ−３ａ、Ａ−４において、周辺セルのセルＩＤと、周辺セルのＳＳブロックインデックスの代わりに、サービングセルのＳＳブロックインデックスが、周辺セルのためのＣＳＩ−ＲＳ構成に関連付けられてもよい。この場合、ＵＥは、周辺セルの送信ビームから、ＳＳブロックインデックスを読む必要がない。また、ＵＥは、送信ビームを受信可能なエリアにおいて、適切なＣＳＩ−ＲＳビームのＣＳＩ−ＲＳを測定できる。
【００９７】
すなわち、オプションＡ−３では、各ＳＩＢは、周辺セルのＣＳＩ−ＲＳ構成と、サービングセルのＳＳブロックインデックスと、の関連付けを示してもよい。
【００９８】
また、オプションＡ−３ａでは、サービングセルの或るＳＳバーストに関連付けられた送信ビームを用いて送信されるＳＩＢは、周辺セルにおいて当該送信ビームに関連付けられたＣＳＩ−ＲＳ構成と、サービングセルにおいて当該送信ビームを用いて送信されるＳＳブロックインデックスと、の関連付けを示してもよい。
【００９９】
図６は、オプションＡ−４のＳＩＢの内容の別の一例を示す図である。オプションＡ−４では、サービングセルの或る送信ビームを用いて送信されるＳＩＢは、周辺セルのＣＳＩ−ＲＳ構成のうち、当該送信ビームに関連付けられたＣＳＩ−ＲＳ構成を示してもよい。この場合のＳＩＢは、サービングセルのＳＳブロックインデックスを含まなくてもよい。例えば、サービングセルの送信ビーム＃０を用いて送信されるＳＩＢは、当該送信ビームに関連付けられた、周辺セルＸのＣＳＩ−ＲＳビームのＣＳＩ−ＲＳ構成を含む。また、サービングセルの送信ビーム＃１を用いて送信されるＳＩＢは、当該送信ビームに関連付けられた周辺セルＸ、ＹのＣＳＩ−ＲＳビームのＣＳＩ−ＲＳ構成を含む。このようなオプションＡ−４によれば、オプションＡ−３、Ａ−３ａに比べて、ＳＩＢの情報量を削減することができる。
【０１００】
＜第２の実施形態＞
本発明の第２の実施形態では、サービングセル及び周辺セルに対し、一つの共通シグナリング（例えば、或るＳＩＢ）が、ＣＳＩ−ＲＳ構成を伝えるために用いられる（オプションＢ）。
【０１０１】
サービングセル及び周辺セルのＣＳＩ−ＲＳ構成のための共通シグナリング（例えば、ＳＩＢ）について、次のオプションＢ−１、Ｂ−２、Ｂ−３、Ｂ−４が考えられる。
【０１０２】
オプションＢ−１のＳＩＢは、サービングセルのＣＳＩ−ＲＳ構成のためにオプションＡ−１を用い、周辺セルのＣＳＩ−ＲＳ構成のためにオプションＡ−３を用いる。異なるＳＩＢの内容は、共通である。
【０１０３】
オプションＢ−２のＳＩＢは、サービングセルのＣＳＩ−ＲＳ構成のためにオプションＡ−１を用い、周辺セルのＣＳＩ−ＲＳ構成のためにオプションＡ−４を用いる。サービングセルのＣＳＩ−ＲＳ構成のための内容は、異なるＳＩＢで共通である。周辺セルのＣＳＩ−ＲＳ構成のための内容は、異なるＳＩＢで異なる。
【０１０４】
オプションＢ−３のＳＩＢは、サービングセルのＣＳＩ−ＲＳ構成のためにオプションＡ−２を用い、周辺セルのＣＳＩ−ＲＳ構成のためにオプションＡ−３を用いる。サービングセルのＣＳＩ−ＲＳ構成のための内容は、異なるＳＩＢで異なる。周辺セルのＣＳＩ−ＲＳ構成のための内容は、異なるＳＩＢの内容は共通である。
【０１０５】
オプションＢ−４のＳＩＢは、サービングセルのＣＳＩ−ＲＳ構成のためにオプションＡ−２を用い、周辺セルのＣＳＩ−ＲＳ構成のためにオプションＡ−４を用いる。異なるＳＩＢの内容は、異なる。
【０１０６】
なお、オプションＢ−１、Ｂ−２、Ｂ−３、Ｂ−４において、サービングセルのＣＳＩ−ＲＳ構成のためにオプションＡ−１ａを用いてもよいし、周辺セルのＣＳＩ−ＲＳ構成のためにオプションＡ−３ａを用いてもよい。
【０１０７】
以上の第２の実施形態によれば、一つのＳＩＢがサービングセルの共通リソース構成情報と周辺セルの共通リソース情報とを含むため、ＣＳＩ−ＲＳ構成をＵＥ個別に通知することを避け、ＣＳＩ−ＲＳ構成の通知のオーバーヘッドを削減できる。
【０１０８】
＜第３の実施形態＞
本発明の第３の実施形態では、サービングセルに対し、一つの共通シグナリング（例えば、或るＳＩＢ）が、ＣＳＩ−ＲＳ構成を伝えるために用いられ、周辺セルに対するＣＳＩ−ＲＳ構成は、ＵＥ個別ＲＲＣシグナリングにより通知される（オプションＣ）。
【０１０９】
サービングセル及び周辺セルのＣＳＩ−ＲＳ構成のための共通シグナリング（例えば、ＳＩＢ）について、次のオプションＣ−１、Ｃ−２が考えられる。
【０１１０】
オプションＣ−１は、サービングセルのＣＳＩ−ＲＳ構成のためにオプションＡ−１の共通シグナリングを用い、周辺セルのＣＳＩ−ＲＳ構成のために個別ＲＲＣシグナリングを用いる。
【０１１１】
オプションＣ−２は、サービングセルのＣＳＩ−ＲＳ構成のためにオプションＡ−２の共通シグナリングを用い、周辺セルのＣＳＩ−ＲＳ構成のために個別ＲＲＣシグナリングを用いる。
【０１１２】
オプションＣ−１及びＣ−２において、周辺セルのＣＳＩ−ＲＳ構成のための個別ＲＲＣシグナリングは、ＵＥの測定報告（例えば、周辺セルの検出されたＳＳブロック）に基づいて決定されてもよい。
【０１１３】
図７は、オプションＣ−２のシナリオの一例を示す図である。この例では、ＵＥ＃０、＃１、＃２が、サービングセルの送信ビーム＃１のエリア内に位置する。ＵＥ＃０は、サービングセルとセルＸとセルＹとの境界付近に位置するため、セルＸ及びＹの測定結果を報告する。これにより、ＵＥ＃０は、個別ＲＲＣシグナリングを用いて、周辺セルとしてセルＸ及びＹのＣＳＩ−ＲＳ構成を設定される。ＵＥ＃１は、サービングセルの中心付近に位置するため、周辺セルの測定結果を報告しない。これにより、ＵＥ＃１は、周辺セルのＣＳＩ−ＲＳ構成を設定されない。ＵＥ＃２は、サービングセルとセルＹとの境界付近に位置するため、セルＹの測定結果を報告する。これにより、ＵＥ＃０は、個別ＲＲＣシグナリングを用いて、周辺セルとしてセルＹのＣＳＩ−ＲＳ構成を設定される。
【０１１４】
以上の第３の実施形態によれば、サービングセルのＣＳＩ−ＲＳ構成に共通シグナリングを用いることにより、ＣＳＩ−ＲＳ構成の通知のオーバーヘッドを削減できる。周辺セルのＣＳＩ−ＲＳビームの受信可能性は、サービングセル内のＵＥの位置によって異なるため、周辺セルのＣＳＩ−ＲＳ構成をＵＥ個別に通知できる。また、ＵＥの測定報告に基づいて、ＣＳＩ−ＲＳ構成を決定することにより、周辺セルの適切なＣＳＩ−ＲＳ構成を通知できる。
【０１１５】
＜変更例＞
以上の全てのオプションにおいて、ＳＩＢ内の共通のＣＳＩ−ＲＳ  ＲＲＭ測定構成に基づいて、ＵＥ個別のＲＲＣシグナリングは、サービングセル及び／又は周辺セルに対して、ＣＳＩ−ＲＳリソース構成のための幾つかのパラメータを更新する、又は、測定されるＣＳＩ−ＲＳを限定してもよい。
【０１１６】
オプションＡ−２及びＡ−４（オプション２）に関し、サービングセル及び／又は周辺セルのためのＣＳＩ−ＲＳ構成を含むＵＥグループ共通（ビーム固有）のＳＩＢ送信は、ＵＥにより要求されてもよい、すなわち、オンデマンドであってもよい。
【０１１７】
どのオプションが適用されるかは、周波数範囲又は周波数帯域毎に仕様で定義されてもよいし、ＮＷによりシグナリングされてもよい。
【０１１８】
ＣＳＩ−ＲＳ構成とＳＳブロック及び／又は周辺セルのセルＩＤとの関連付けは、ＱＣＬ（Quasi-Co-Location）に関する情報であってもよい。
【０１１９】
なお、ＳＩＢは、ＣＳＩ−ＲＳ構成を含まなくてもよい。ＳＩＢは、他のブロードキャストチャネル（例えば、ＲＭＳＩ（Remaining  Minimum  System  Information）を含む）、ＳＩＢを伝送するＮＲ−ＰＤＳＣＨなどの特定チャネルに読み替えられてもよい。すなわち、異なる送信ビームを用いて送信される特定チャネルの内容が共通であってもよいし、異なる送信ビームを用いて送信される特定チャネルの内容が異なっていてもよい。また、ＵＥは、移動に応じて、異なる送信ビーム（又は送信ビームのセット）を用いて送信されるＳＳブロックを受信する場合、当該送信ビームを用いて送信される特定チャネルの内容を読み直してもよい。
【０１２０】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１２１】
図８は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１２２】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１２３】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【０１２４】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１２５】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１２６】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１２７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１２８】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１２９】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１３０】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１３１】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックの帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１３２】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０１３３】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０１３４】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１３５】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３６】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０１３７】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１３８】
（無線基地局）
図９は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１３９】
下りリンクにより無線基地局１０からユーザ端末２０に送信されるユーザデータは、上位局装置３０から伝送路インターフェース１０６を介してベースバンド信号処理部１０４に入力される。
【０１４０】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１４１】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４２】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４３】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１４４】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１４５】
また、送受信部１０３は、参照信号（例えば、ＣＳＩ−ＲＳ）の送信に用いられる複数の空間リソース（例えば、ＣＳＩ−ＲＳビーム）に共通するパラメータ（例えば、共通リソース構成情報）を示す共通情報（例えば、ＳＩＢ）を送信してもよい。
【０１４６】
また、送受信部１０３は、複数の空間リソース（例えば、ＣＳＩ−ＲＳビーム）に関連付けられた同期用空間リソース（例えば、送信ビーム）を用いて送信される同期信号（例えば、ＳＳブロック）を送信してもよい。
【０１４７】
図１０は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているとする。
【０１４８】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１４９】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１５０】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１５１】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１５２】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１５３】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１５４】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１５５】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１５６】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１５７】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１５８】
測定部３０５は、受信した信号に関する測定を実施する。測定部３０５は、本発明に係る技術分野での共通認識に基づいて説明される測定器、測定回路又は測定装置から構成することができる。
【０１５９】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１６０】
また、制御部３０１は、ユーザ端末２０からの測定報告に基づいて、個別シグナリング（例えば、ＲＲＣシグナリング）を決定してもよい。例えば、制御部３０１は、ユーザ端末２０からの測定報告に基づいて、周辺セルのＣＳＩ−ＲＳ構成のための個別ＲＲＣシグナリングを決定してもよい。
【０１６１】
（ユーザ端末）
図１１は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６２】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１６３】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１６４】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１６５】
また、送受信部２０３は、参照信号（例えば、ＣＳＩ−ＲＳ）の送信に用いられる複数の空間リソース（例えば、ＣＳＩ−ＲＳビーム）に共通するパラメータ（例えば、共通リソース構成情報）を示す共通情報（例えば、ＳＩＢ）を受信してもよい。
【０１６６】
また、送受信部２０３は、複数の空間リソース（例えば、ＣＳＩ−ＲＳビーム）に関連付けられた同期用空間リソース（例えば、送信ビーム）を用いて送信される同期信号（例えば、ＳＳブロック）を受信してもよい。
【０１６７】
また、送受信部２０３は、サービングセルの参照信号の送信に用いられる複数の空間リソースに共通するパラメータを示す共通情報を受信し、周辺セルの参照信号のパラメータを示す個別情報を受信してもよい。
【０１６８】
図１２は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているとする。
【０１６９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１７０】
制御部４０１は、ユーザ端末２０全体の制御を実施する。制御部４０１は、本発明に係る技術分野での共通認識に基づいて説明されるコントローラ、制御回路又は制御装置から構成することができる。
【０１７１】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０１７２】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１７３】
制御部４０１は、無線基地局１０から通知された各種情報を受信信号処理部４０４から取得した場合、当該情報に基づいて制御に用いるパラメータを更新してもよい。
【０１７４】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１７５】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１７６】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１７７】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１７８】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１７９】
測定部４０５は、受信した信号に関する測定を実施する。測定部４０５は、本発明に係る技術分野での共通認識に基づいて説明される測定器、測定回路又は測定装置から構成することができる。
【０１８０】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ）、信号強度（例えば、ＲＳＳＩ）、伝搬路情報（例えば、ＣＳＩ）などについて測定してもよい。測定結果は、制御部４０１に出力されてもよい。
【０１８１】
また、制御部４０１は、共通情報に基づいて、複数の空間リソースのいずれかを用いて送信される参照信号の測定を制御してもよい。
【０１８２】
また、共通情報は、同期用空間リソースを用いて送信されてもよい。制御部４０１は、共通情報に基づいて、同期用空間リソースに関連付けられた空間リソースを用いて送信される参照信号の測定を制御してもよい。
【０１８３】
また、共通情報は、複数の同期用空間リソースと複数の空間リソースとの関連付けを示し、複数の同期用空間リソースのそれぞれを用いて送信されてもよい（オプション１）。
【０１８４】
また、共通情報は、複数の同期用空間リソースをそれぞれ用いて送信される複数の共通情報の一つであってもよい。複数の共通情報のそれぞれは、対応する同期用空間リソースに関連付けられた複数の空間リソースに共通するパラメータを示してもよい（オプション２）。
【０１８５】
また、共通情報は、同期用空間リソースの複数のグループ（例えば、ＳＳバーストの送信に用いられる送信ビームのグループ）と複数の空間リソースとの関連付けを示し、複数のグループのそれぞれを用いて送信されてもよい。
【０１８６】
また、共通情報は、周辺セルの参照信号の送信に用いられる複数の空間リソースに共通するパラメータを示してもよい（オプションＡ、Ｂ）。
【０１８７】
また、第１共通情報は、サービングセルの参照信号の送信に用いられる複数の空間リソースに共通するパラメータを示し、第２共通情報は、周辺セルの参照信号の送信に用いられる複数の空間リソースに共通するパラメータを示してもよい（オプションＡ）。また、共通情報は、サービングセルの参照信号の送信に用いられる複数の空間リソースに共通するパラメータと、周辺セルの参照信号の送信に用いられる複数の空間リソースに共通するパラメータと、を示してもよい（オプションＢ）。
【０１８８】
また、共通情報は、サービングセルの参照信号の送信に用いられる複数の空間リソースに共通するパラメータを示し、個別情報は、周辺セルの参照信号のパラメータを示してもよい（オプションＣ）。
【０１８９】
また、共通情報は、周辺セルの参照信号の送信に用いられる複数の空間リソースに共通するパラメータと、周辺セルのセルＩＤと、周辺セルの同期用空間リソースと、の関連付けを示していてもよい（オプションＡ−３、Ａ−３ａ、Ａ−４）。また、共通情報は、周辺セルの参照信号の送信に用いられる複数の空間リソースに共通するパラメータと、サービングセルの同期用空間リソースと、の関連付けを示していてもよい（オプションＡ−３、Ａ−３ａ）。また、共通情報は、周辺セルの参照信号の送信に用いられる複数の空間リソースに共通するパラメータを示し、サービングセルの複数の同期用空間リソースをそれぞれ用いて送信される複数の共通情報の一つであってもよい（オプションＡ−４）。
【０１９０】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１９１】
例えば、本発明の一実施形態における無線基地局、ユーザ端末などは、本発明の無線通信方法の処理を行うコンピュータとして機能してもよい。図１３は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１９４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１９５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９６】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１９７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１９８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１９９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２００】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０３】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０４】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２０５】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２０６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２０７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２０８】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２０９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２１１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１５】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１６】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１７】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１８】
また、情報、信号などは、上位レイヤから下位レイヤ、及び／又は下位レイヤから上位レイヤへ出力され得る。情報、信号などは、複数のネットワークノードを介して入出力されてもよい。
【０２１９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２０】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２６】
本明細書において使用する「システム」及び「ネットワーク」という用語は、互換的に使用される。
【０２２７】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２２８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２２９】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２３０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２３２】
同様に、本明細書におけるユーザ端末は、無線基地局で読み替えてもよい。この場合、上述のユーザ端末２０が有する機能を無線基地局１０が有する構成としてもよい。
【０２３３】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３４】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３５】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２３６】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３７】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２３８】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３９】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２４０】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２４１】
本明細書において、「ＡとＢが異なる」という用語は、「ＡとＢが互いに異なる」ことを意味してもよい。「離れる」、「結合される」などの用語も同様に解釈されてもよい。
【０２４２】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４３】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2018198342.tif 000003
【図２】
2018198342.tif 000004
【図３】
2018198342.tif 000005
【図４】
2018198342.tif 000006
【図５】
2018198342.tif 000007
【図６】
2018198342.tif 000008
【図７】
2018198342.tif 000009
【図８】
2018198342.tif 000010
【図９】
2018198342.tif 000011
【図１０】
2018198342.tif 000012
【図１１】
2018198342.tif 000013
【図１２】
2018198342.tif 000014
【図１３】
2018198342.tif 000015
【国際調査報告】
2018198342.tif 000016
2018198342.tif 000017
2018198342.tif 000018